(57)【要約】      （修正有）【課題】優れた通気性を有するとともに、就寝時において体荷重を分散させることができ、床板の取り付け・取り外しが容易であり、身体へのフィット感に非常に優れており、ベッドの側板内面に床板が擦れることによる異音の発生や側板の傷付きを防ぐこともできる通気性体荷重分散型ベッドを提供する。【解決手段】ベッドの左右側板の内面１１に該側板に沿って夫々受け桟が設けられ、左右の前記受け桟の上面に沿って夫々緩衝材が設けられ、左右の前記緩衝材間を掛け渡すように床板を載設してなるベッドであって、前記床板が、ベッド長手方向に互いに間隔をあけて設けられた複数の板材５１からなり、前記複数の板材５１は、ベッド長手方向に延びる伸縮可能な弾性ベルト７により連結されていることを特徴とする通気性体荷重分散型ベッド。【選択図】図３
2012024492.tif 000002
【特許請求の範囲】
【請求項１】
ベッドの左右側板の内面に該側板に沿って夫々受け桟が設けられ、左右の前記受け桟の上面に沿って夫々緩衝材が設けられ、左右の前記緩衝材間を掛け渡すように床板を載設してなるベッドであって、
前記床板が、ベッド長手方向に互いに間隔をあけて設けられた複数の板材からなり、
前記複数の板材は、ベッド長手方向に延びる伸縮可能な弾性ベルトにより連結されていることを特徴とする通気性体荷重分散型ベッド。
【請求項２】
前記弾性ベルトの両端部には、夫々係止具が取り付けられており、
前記ベッドの前板及び後板には、前記係止具を係止可能な被係止具が夫々取り付けられており、
前記係止具は、前記弾性ベルトを伸長した状態で前記被係止具に係止されることを特徴とする請求項１記載の通気性体荷重分散型ベッド。
【請求項３】
前記床板は、ベッドの前後方向を入れ替えても、前記係止具と前記被係止具を係止して前記緩衝材の上部に載設可能であることを特徴とする請求項２記載の通気性体荷重分散型ベッド。
【請求項４】
前記板材は、長さ方向の両端部に板材の幅方向に延びるスリットが形成されており、
前記弾性ベルトは、前記スリットに挟まれた状態で前記板材に固定されていることを特徴とする請求項１乃至３いずれかに記載の通気性体荷重分散型ベッド。
【請求項５】
前記弾性ベルトは、その側端部が前記スリットからはみ出ている状態で前記板材に固定されていることを特徴とする請求項４記載の通気性体荷重分散型ベッド。
【請求項６】
前記ベッドの左右側板の内面には、前記板材の長さ方向端部が直接接触するのを防ぐテープが貼付されていることを特徴とする請求項１乃至５いずれかに記載の通気性体荷重分散型ベッド。
【請求項７】
前記緩衝材の上面は平面であって、前記複数の板材は前記平面上に載設されていることを特徴とする請求項１乃至６いずれかに記載の通気性体荷重分散型ベッド。
【請求項８】
前記緩衝材が合成樹脂発泡体からなることを特徴とする請求項１乃至７いずれかに記載の通気性体荷重分散型ベッド。
【請求項９】
前記板材がホワイトアッシュの無垢材からなることを特徴とする請求項１乃至８いずれかに記載の通気性体荷重分散型ベッド。
【発明の詳細な説明】
【技術分野】
【０００１】
本発明は、高い通気性と優れた体荷重分散機能を有し、快適な寝心地が得られる通気性体荷重分散型ベッドに関するものである。
【背景技術】
【０００２】
従来のベッドは、図７に示すように、ベッドの左右側板の内面に側板に沿って設けられた受け桟（Ａ）の上部に、左右の受け桟の間を掛け渡すように合板等からなる床板（Ｂ）を設け、この床板（Ｂ）の表面に布貼りをして、その上部にマットレス（Ｃ）を載せ、更にその上にベッド敷きパッド（Ｄ）を敷くことにより構成されているのが一般的である。
しかしながら、このような従来のベッドは床板（Ｂ）によって通気が遮られるため通気性が悪い。そのため、寝具が湿気易くなるとともに、高温多湿な夏場においては快適な睡眠が得られにくかった。
また、従来のベッドは、マットレス（Ｃ）にラバー製のものやスプリングが内蔵されたものが使用されているが、これら従来のマットレスでは就寝時に体荷重を充分に分散することができず、快適な寝心地が得られにくかった。また、ラバー製のものは通気性がないため寝具が湿気易く、スプリングが内蔵されたものは廃棄する際に素材の分別が非常に困難であるという問題があった。
【０００３】
上記した従来のベッドが有する問題点を解決するために、本願出願人は下記特許文献１記載の発明を提案している。
特許文献１記載の発明は、ベッドの左右側板の内面に側板に沿って設けられた受け桟の上部に、左右の受け桟の間を掛け渡すように床板を載設してなるベッドであって、床板がベッド長手方向に互いに間隔をあけて設けられた複数の板材からなる通気性体荷重分散型ベッドである。
この通気性体荷重分散型ベッドは、左右の受け桟の上面に沿ってそれぞれ緩衝材を配設し、該左右の緩衝材間を掛け渡すように複数の板材を載設している。また、緩衝材の上面に複数の凹部を形成し、複数の板材をそれぞれ凹部に嵌入させて載置している。
【０００４】
この本願出願人が提案した通気性体荷重分散型ベッドは、床板がベッド長手方向に互いに間隔をあけて設けられた複数の板材からなるため、通気性に優れるとともに、体荷重によって各板材が撓むことにより、体荷重が分散されて快適な寝心地を得ることができる優れたものであるが、更に改良すべき点が存在していた。
【０００５】
この通気性体荷重分散型ベッドは、床板を構成する複数の板材が連結されずに独立して緩衝材の凹部に嵌入されているため、床板の取り付け・取り外しを容易に行うことができない。
そのため、例えば、床板を取り外してベッド下部の掃除をしようとしても、１本ずつ板材を取り外して掃除をした後、また１本ずつ取り付けなければならず、非常に面倒で時間がかかる作業を強いられる。しかも、板材の取り付け・取り外しの際には、緩衝材の凹部に対して板材を出し入れするため、緩衝材の凹部の角がちぎれる等して緩衝材が破損する虞があった。
【０００６】
また、床板を構成する複数の板材の撓みと緩衝材の作用により体荷重を分散することができるが、各板材は連結されずに独立しているため、身体へのフィット感が充分には得られなかった。
また、床板を構成する複数の板材の長さ方向端部が、ベッドの側板内面に擦れることにより、異音が発生したり側板内面に傷がついたりする虞があった。
また、板材の素材が桐からなるため、身体を支えるに充分な強度を得るためには板材を太くする必要があり、通気性及び身体へのフィット感が低下する原因となっていた。
【先行技術文献】
【特許文献】
【０００７】
【特許文献１】特開２００３−２６５２７１号公報
【発明の概要】
【発明が解決しようとする課題】
【０００８】
本発明は、上記した従来技術の問題点を解決するためになされたものであって、優れた通気性を有するとともに、就寝時において体荷重を分散させることができ、更に床板の取り付け・取り外しが容易であり、身体へのフィット感に非常に優れており、ベッドの側板内面に床板が擦れることによる異音の発生や側板の傷付きを防ぐこともできる通気性体荷重分散型ベッドを提供するものである。
【課題を解決するための手段】
【０００９】
請求項１に係る発明は、ベッドの左右側板の内面に該側板に沿って夫々受け桟が設けられ、左右の前記受け桟の上面に沿って夫々緩衝材が設けられ、左右の前記緩衝材間を掛け渡すように床板を載設してなるベッドであって、前記床板が、ベッド長手方向に互いに間隔をあけて設けられた複数の板材からなり、前記複数の板材は、ベッド長手方向に延びる伸縮可能な弾性ベルトにより連結されていることを特徴とする通気性体荷重分散型ベッドに関する。
【００１０】
請求項２に係る発明は、前記弾性ベルトの両端部には、夫々係止具が取り付けられており、前記ベッドの前板及び後板には、前記係止具を係止可能な被係止具が夫々取り付けられており、前記係止具は、前記弾性ベルトを伸長した状態で前記被係止具に係止されることを特徴とする請求項１記載の通気性体荷重分散型ベッドに関する。
【００１１】
請求項３に係る発明は、前記床板は、ベッドの前後方向を入れ替えても、前記係止具と前記被係止具を係止して前記緩衝材の上部に載設可能であることを特徴とする請求項２記載の通気性体荷重分散型ベッドに関する。
【００１２】
請求項４に係る発明は、前記板材は、長さ方向の両端部に板材の幅方向に延びるスリットが形成されており、前記弾性ベルトは、前記スリットに挟まれた状態で前記板材に固定されていることを特徴とする請求項１乃至３いずれかに記載の通気性体荷重分散型ベッドに関する。
【００１３】
請求項５に係る発明は、前記弾性ベルトは、その側端部が前記スリットからはみ出ている状態で前記板材に固定されていることを特徴とする請求項４記載の通気性体荷重分散型ベッドに関する。
【００１４】
請求項６に係る発明は、前記ベッドの左右側板の内面には、前記板材の長さ方向端部が直接接触するのを防ぐテープが貼付されていることを特徴とする請求項１乃至５いずれかに記載の通気性体荷重分散型ベッドに関する。
【００１５】
請求項７に係る発明は、前記緩衝材の上面は平面であって、前記複数の板材は前記平面上に載設されていることを特徴とする請求項１乃至６いずれかに記載の通気性体荷重分散型ベッドに関する。
【００１６】
請求項８に係る発明は、前記緩衝材が合成樹脂発泡体からなることを特徴とする請求項１乃至７いずれかに記載の通気性体荷重分散型ベッドに関する。
【００１７】
請求項９に係る発明は、前記板材がホワイトアッシュの無垢材からなることを特徴とする請求項１乃至８いずれかに記載の通気性体荷重分散型ベッドに関する。
【発明の効果】
【００１８】
請求項１に係る発明によれば、床板がベッド長手方向に互いに間隔をあけて設けられた複数の板材からなるため、通気性に優れるとともに、体荷重によって各板材が撓むことにより、体荷重が分散されて快適な寝心地を得ることができるベッドとなる。
更に、床板を構成する複数の板材がベッド長手方向に延びる伸縮可能な弾性ベルトにより連結されていることから、床板の取り付け・取り外しが非常に容易であり、ベッド下部の掃除も簡単に短時間で行うことが可能となる。また、弾性ベルトの伸縮により隣り合う板材間の距離が荷重位置の変化に応じて微調整されるため、寝返り等で身体の位置を移動させた場合にこれに追従して板材の位置が微調整されることとなり、身体へのフィット感に非常に優れたものとなる。
【００１９】
請求項２に係る発明によれば、弾性ベルトの両端部には夫々係止具が取り付けられており、ベッドの前板及び後板には係止具を係止可能な被係止具が夫々取り付けられているため、床板がベッド本体から脱落することが防がれるとともに、高齢者や女性であってもワンタッチで簡単に床板の取り付け・取り外しを行うことができる。また、係止具は弾性ベルトを伸長した状態で被係止具に係止されることから、複数の板材は弾性ベルトによる弾性力が作用した状態で取り付けられることとなり、身体の移動に追従した板材の位置調整が良好に行われる。しかも、板材には緩衝材によるクッション性（弾力性と復元性）も作用するから、弾性ベルトの弾性力による作用と緩衝材によるクッション作用との相乗効果によって、身体へのフィット感により一層優れたものとなる。
【００２０】
請求項３に係る発明によれば、床板は、ベッドの前後方向を入れ替えても係止具と被係止具を係止して緩衝材の上部に載設可能であることから、長年の使用によって板材の撓みが変化した時には前後方向を入れ替えて取り付けることで、身体へのフィット感を維持した状態で使用を継続することができる。
【００２１】
請求項４に係る発明によれば、板材は長さ方向の両端部に板材の幅方向に延びるスリットが形成されており、弾性ベルトはスリットに挟まれた状態で板材に固定されていることから、板材に対する弾性ベルトの取り付けを容易に且つ確実に行うことができるとともに、板材の表面に弾性ベルトが露出しないので弾性ベルトの破損が生じにくくなる。
【００２２】
請求項５に係る発明によれば、弾性ベルトは、その側端部がスリットからはみ出ている状態で板材に固定されていることから、板材の端部が直接ベッドの側板内面に擦れることを防ぐことができ、異音の発生や側板内面の傷付きを防止することが可能となる。
【００２３】
請求項６に係る発明によれば、ベッドの左右側板の内面には、板材の長さ方向端部が直接接触するのを防ぐテープが貼付されていることから、板材の端部が直接ベッドの側板内面に擦れることによる異音の発生や側板内面の傷付きを防止することが可能となる。
【００２４】
請求項７に係る発明によれば、緩衝材の上面は平面であって複数の板材は平面上に載設されていることから、床板の取り付け・取り外しを容易に行うことができるとともに、取り付け・取り外し時において緩衝材が破損することが防止される。
【００２５】
請求項８に係る発明によれば、緩衝材が合成樹脂発泡体からなることから、適度な弾力性と復元性を有する緩衝材となり、優れた寝心地を得ることができる。
【００２６】
請求項９に係る発明によれば、板材がホワイトアッシュの無垢材からなることから、板材を細くしても身体を支えるに充分な強度を得ることができ、通気性及び身体へのフィット感を向上させることが可能となる。
【図面の簡単な説明】
【００２７】
【図１】本発明に係るベッドを示す図であって、（ａ）は平面図、（ｂ）は（ａ）図のＡ−Ａ線断面図、（ｃ）は（ａ）図のＢ−Ｂ線断面図である。
【図２】床板を示す図であって、（ａ）は平面図、（ｂ）は（ａ）図のＡ−Ａ線断面図、（ｃ）は（ａ）図のＢ−Ｂ矢視図である。
【図３】（ａ）は図１（ａ）の円内拡大斜視図であって、（ｂ）は図３（ａ）のＡ−Ａ線断面図である。
【図４】（ａ）は係止具を被係止具に係止させた状態を示す図、（ｂ）は係止を解除した状態を示す図である。
【図５】本発明に係る通気性体荷重分散型ベッドの作用効果を示す図である。
【図６】複数の板材からなる床板の後端部をベッドの後方側（足元側）から前方（頭側）に向けて丸めた状態を示す図である。
【図７】従来のベッドの構造の一例を示す断面図である。
【発明を実施するための形態】
【００２８】
以下、本発明に係る通気性体荷重分散型ベッド（以下、単にベッドという）の好適な実施形態について、図面を参照しつつ説明する。
図１は本発明に係るベッドを示す図であって、（ａ）は平面図、（ｂ）は（ａ）図のＡ−Ａ線断面図、（ｃ）は（ａ）図のＢ−Ｂ線断面図である。
本発明に係るベッドは、ベッドの左右に設けられた側板（１）と、これら側板（１）の一端部に設けられたヘッドボード（前板）（２）と、他端部に設けられたフットボード（後板）（３）と、左右の側板（１）の内面に側板に沿って取り付けられた棒状の受け桟（４）と、これら左右の受け桟（４）の間を掛け渡すように設けられた床板（５）とを備えている。
【００２９】
図２は床板（５）を示す図であって、（ａ）は平面図、（ｂ）は（ａ）図のＡ−Ａ線断面図、（ｃ）は（ａ）図のＢ−Ｂ矢視図である。
床板（５）は、ベッドの長手方向に互いに間隔をあけて設けられた複数の板材（５１）から構成されている。このように床板（５）をスノコ状に構成することによって、通気性に優れたベッドとなるとともに、体荷重によって各板材が撓むことにより、体荷重が分散されて快適な寝心地を得ることができるようになる。
【００３０】
床板（５）を構成する板材（５１）としては木材が使用される。木材の中ではホワイトアッシュ（学名：Fraxinus americana）が最も好ましく使用される。
床板（５）を構成する板材として木材を使用することにより、寝具の湿気が板材に吸収され、さらに体荷重によって板材が適度に撓むため、より快適な寝心地を得ることが可能となる。また、木材としてホワイトアッシュを使用することにより、板材の幅を細くしても身体を支えるのに充分な強度を確保することができ、通気性及び身体へのフィット感を向上させることが可能となる。
【００３１】
床板（５）を構成する複数の板材（５１）は、ベッド長手方向に延びる伸縮可能な弾性ベルト（７）により連結されている。
弾性ベルト（７）は多数本のゴム繊維を編み込んで形成されたベルトであって、例えば厚さ１〜２ｍｍ、幅４０〜５０ｍｍのものが使用される。
このように、複数の板材（５１）が伸縮可能な弾性ベルト（７）により連結されていることにより、複数の板材（５１）を一体物として取り扱うことができ、床板（５）の取り付け・取り外しが非常に容易となる。
また、弾性ベルト（７）の伸縮により、隣り合う板材間の距離が荷重位置の変化に応じて微調整される。そのため、寝返り等で使用者が身体の位置を移動させた場合に、これに追従して板材（５１）の位置が微調整されることとなり、身体へのフィット感に非常に優れたものとなる。
【００３２】
板材（５１）の長さ方向の両端部には、板材の幅方向に延びるスリット（５１１）が形成されている。弾性ベルト（７）は、スリット（５１１）に上下面を挟まれた状態で板材（５１）の下面からタッカー釘（図示略）が打ち込まれることにより、板材（５１）に対して固定されている。
このように、弾性ベルト（７）を板材（５１）に形成されたスリット（５１１）に挟み込んで固定することにより、板材（５１）に対する弾性ベルト（７）の取り付けを容易に且つ確実に行うことができる。また、板材（５１）の表面に弾性ベルト（７）が露出しないので弾性ベルト（７）の破損が生じにくくなる。
【００３３】
弾性ベルト（７）は、その側端部（ベッドの側板側の端部）がスリット（５１１）からはみ出ている状態で板材（５１）に固定されている（図２（ｃ）の拡大円内参照）。はみ出し幅は例えば２〜３ｍｍとされる。
これにより、板材（５１）の端部より弾性ベルト（７）が突出することになるため、板材（５１）の端部が直接ベッドの側板（１）の内面に擦れることを防ぐことができ、異音の発生や側板内面の傷付きを防止することが可能となる。
【００３４】
更に、ベッドの左右の側板（１）の内面（１１）には、板材（５１）の長さ方向端部が直接接触するのを防ぐために、ビニルテープ等の表面が滑らかなテープ（１２）を貼付することが好ましい（図３（ａ）参照）。
これにより、板材（５１）の端部が直接ベッドの側板内面に擦れることによる異音の発生や側板内面の傷付きをより確実に防止することが可能となる。
【００３５】
弾性ベルト（７）の両端部には、夫々フック状の係止具（８）が金具（１４）を用いて取り付けられている。
図３（ａ）は図１（ａ）の円内拡大斜視図であって、図３（ｂ）は図３（ａ）のＡ−Ａ線断面図である。
ベッドの前板（２）及び後板（３）には、係止具（８）を係止可能な被係止具（９）が夫々取り付けられている。図３では前板（２）に取り付けられた被係止具（９）のみが示されているが、後板（３）にも同様の被係止具（９）が同様の方法により取り付けられている。尚、ベッドの前板（２）及び後板（３）に係止具（８）を取り付けて、弾性ベルト（７）に被係止具（９）を取り付けてもよい。
【００３６】
前板（２）及び後板（３）の表面には縦方向に延びる凹部（１０）が夫々形成されており、これらの凹部（１０）を跨ぐように横方向に延びる棒状の被係止具（９）がビス止めされている。
フック状の係止具（８）の先端は、凹部（１０）に入り込んで棒状の被係止具（９）に係止されている。
このように、係止具（８）を被係止具（９）に係止することにより、床板（５）をベッド本体に対して確実に固定することができる。また、このような係止式の固定方法を採用したことにより、床板（５）をベッド本体に対してワンタッチで取り付け・取り外すことが可能となり、高齢者や女性であっても簡単に床板（５）の取り付け・取り外しを行うことができる。
【００３７】
床板（５）は、ベッドの前後方向を入れ替えても係止具（８）と被係止具（９）を係止して受け桟（４）の上部に載設することが可能となっている。
これにより、長年の使用によって板材（５１）の撓みが変化した時には前後方向を入れ替えて受け桟（４）の上部に載設することができ、身体へのフィット感を維持した状態で使用を継続することができる。
【００３８】
図４（ａ）は係止具（８）を被係止具（９）に係止させた状態を示す図、図４（ｂ）は係止を解除した状態を示す図である。
弾性ベルト（７）の両端部に取り付けられた係止具（８）は、弾性ベルト（７）を少し（例えば２０ｃｍ程度）伸長させた状態で被係止具（９）に対して係止される。そのため、係止を解除すると、弾性ベルト（７）が収縮して係止具（８）と被係止具（９）との間に少し距離が空いた状態となる（図４（ｂ）参照）。
このように、弾性ベルト（７）を伸長させた状態で係止具（８）を被係止具（９）に係止させることにより、複数の板材（５１）からなる床板（５）は、弾性ベルト（７）による弾性力（引張力）が作用した状態でベッド本体に取り付けられることとなる。これによって、使用者の身体の移動（体荷重の移動）に追従した板材（５１）の位置調整が良好に行われることとなる。
【００３９】
左右の受け桟（４）の上部には、受け桟（４）の長さ方向に沿って緩衝材（６）が載設されており、上記した床板（５）はこれらの緩衝材（６）を介して受け桟（４）の上部に配設されている。
緩衝材（６）は、受け桟（４）と略同じ幅を有する棒状の部材からなり、その上面及び下面は平面となっている。
緩衝材（６）の上面が平面であることにより、複数の板材（５１）は平面上に載設されることになる。そのため、床板（５）の取り付け・取り外しを容易に行うことができるとともに、取り付け・取り外し時において緩衝材（６）が破損しにくくなる。
【００４０】
緩衝材（６）の材料は、弾力性及び復元性を有するものであれば特に限定されないが、ウレタンフォームや塩化ビニル発泡体等の合成樹脂発泡体が好ましく使用され、具体的には、ロジャースイノアック社製のＰＯＲＯＮ（商品名）等のマイクロセルポリマーシートを複数枚積層したものが好適に使用される。
【００４１】
このように、緩衝材（６）を介して配設された複数の板材（５１）からなる床板（５）の上部に布団やマット（Ｍ）を敷いて就寝すると、図５に示すように、各板材（５１）に加わる圧力の度合いに応じて体型に沿うように緩衝材（６）が圧縮されて凹むので、体荷重を効果的且つ確実に分散することが可能となる。
また、上述したように、複数の板材（５１）からなる床板（５）は弾性ベルト（７）による弾性力（引張力）が作用した状態で連結されているため、使用者の身体の移動（体荷重の移動）に追従した板材（５１）の位置調整が良好に行われる。
これら緩衝材（６）によるクッション作用と弾性ベルト（７）の弾性力による作用との相乗効果によって、身体へのフィット感が非常に優れたものとなる。
【００４２】
図６は、複数の板材（５１）からなる床板（５）の後端部をベッドの後方側（足元側）から前方（頭側）に向けて丸めた状態を示す図である。尚、図６では図を見易くするために弾性ベルト（７）を黒く塗って表している。
複数の板材（５１）が弾性ベルト（７）により連結されていることにより、床板（５）を後方から前方へ或いは前方から後方へと丸めていくことができる。また、図示しないが折り畳むこともできる。床板（５）を丸める或いは折り畳むことにより、ベッドの下部（床板の下方）を露出させて掃除することができ、ベッド周りを清潔に保つことができる。また、床板（５）全体を持ち上げて取り外さなくともベッド下部を掃除することができるため、非力な高齢者や女性であっても簡単に掃除ができる。
【００４３】
尚、図示例はシングルベッド又はセミダブルベッドの場合を示しているが、ダブルベッドやワイドダブルベッドの場合には、ベッドの幅方向の中央部にも受け桟（４）及び緩衝材（６）を設け、左右２列に分けて板材（５１）を掛け渡すようにすればよい。
【産業上の利用可能性】
【００４４】
本発明に係る通気性体荷重分散型ベッドは、普段から使い慣れた布団をそのまま使用してベッドと同様の寝心地感が得られるため、ベッドに馴染めない高齢者の方に特に適した寝具である。
【符号の説明】
【００４５】
１      側板
２      前板
３      後板
４      受け桟
５      床板
５１    板材
５１１  スリット
７      弾性ベルト
８      係止具
９      被係止具
１０    凹部
１１    側板の内面
１２    テープ
【図１】
2012024492.tif 000003
【図２】
2012024492.tif 000004
【図３】
2012024492.tif 000005
【図４】
2012024492.tif 000006
【図５】
2012024492.tif 000007
【図６】
2012024492.tif 000008
【図７】
2012024492.tif 000009